(57)【要約】      （修正有）【課題】膝の裏から半月板を拘束し、膝関節の間隙を保持することにより、変形性膝関節症の痛みを緩和できる膝装着用サポーターを提供する。【解決手段】膝関節の裏を覆うカバー部１と、膝の上部に巻き付ける上部固定部２ａ、２ｂと、膝の下部に巻き付ける下部固定部３ａ、３ｂと、カバー部の裏側に装着されたパット部４からなる。カバー部１、上部固定部２ａ、２ｂ、下部固定部３ａ、３ｂはすべて伸縮性を有し、緊張時に素材の弾性による張力が発生する。上下固定部の端部２ａ、３ａの表面に、面ファスナーを貼り付け、もう一方の上下固定部の端部２ｂ、３ｂの裏面に、面ファスナー６、８を貼り付ける。【選択図】図２
0003156790.tif 000002
【実用新案登録請求の範囲】
【請求項１】
膝の上部に巻き付けて固定される上部固定部、膝の下部に巻き付けて固定される下部固定部、前記上部固定部及び下部固定部の中央部分の膝関節の裏を覆うカバー部からなり、かつ前記上部固定部、下部固定部及びカバー部は伸縮性を有し、前記カバー部の内側には弾力性のある素材からなるパット部が装着されていることを特徴とする膝装着用サポーター。
【請求項２】
上部固定部を大腿骨の下部に巻き付け、下部固定部を脛骨及び腓骨の上部に巻き付け、両固定部材とカバー部の張力とパッド部の弾力によりパッド部が膝裏の屈曲部を押し付けることで、パッド部が膝関節の間隙の後ろ側に挟まった半月板を膝前方へ押し、半月板のずれを防止することで、膝関節の間隙を保持する機能を発揮することを特徴とする請求項１に記載された膝装着用サポーター。
【考案の詳細な説明】
【技術分野】
【０００１】  本考案は、変形性膝関節症の患者が装着するのに適した膝装着用サポーターで、膝関節の間隙を保持し、膝関節及び半月板の動揺を抑え筋力の低下を補って膝の痛みを緩和する作用を有する膝装着用サポーターに関する。
【背景技術】
【０００２】  変形性膝関節症は、筋力低下、加齢、肥満などの要因により膝関節の軟骨がすり減る事で、骨が露出して大腿骨と脛骨が直接こすれて痛みがでたり、半月板の移動により変形や断裂を起こし、多くが炎症による関節液の過剰滞留や関節の痛みを伴う病気である。【０００３】  変形性膝関節症は、膝関節のクッションの役目を果たす膝軟骨や半月板が長期間に少しずつすり減り変形することで起こるもの（一次性）と関節リウマチや膝の怪我などの原因によって引き起こされるもの（二次性）がある。【０００４】  この関節症の症状を緩和するための装具としては、足底板と膝装着サポーターが用いられることが多い。膝装着用サポーターとしては、膝関節の周囲を圧迫、拘束して膝関節の動揺を抑えるようにしたもの、さらにサポーターの両側に支柱を取り付けたものが一般的で、主に膝関節周囲の筋力の低下を補助することを機能としている。
【先行技術文献】
【特許文献１】
【０００５】  特許第３７２１５５５号公報
【考案の概要】
【考案が解決しようとする課題】
【０００６】  通常、膝関節の表面は軟骨で覆われており、この軟骨と膝関節の間隙の後ろ側に挟まった半月板とが外的衝撃を和らげ、関節の動きを滑らかにする働きをしている。この関節軟骨が磨耗したり、半月板が変形したりすると、階段の昇降時や歩き始めに痛んだり、正座やしゃがむ姿勢がつらくなる。【０００７】  前記膝装着サポーターは、膝関節が変形した状態で、動揺することで生じる痛みを、膝関節の周囲を拘束することで抑え、さらに、膝関節周囲の筋力の補助作用により、膝関節に体重が作用するのを軽減させることにより痛みを緩和している。【０００８】  考案者は、自ら営むカイロプラクティックの治療院で、変形性膝関節症の患者の治療方法として、患部である膝の裏にクッション材を入れ、膝の表の上部と下部を圧迫することで、膝関節の間隙を拡げ、半月板を適正な位置に矯正する方法を発案し、この治療方法により膝関節の痛みが緩和される事例が多いことが分かった。この事例から、変形性膝関節症の症状を緩和するには、膝の裏から半月板の移動を拘束し保持させることが重要であるとの知見に至った。【０００９】  本考案は、この点に鑑み、膝装着用サポーターに、膝の裏から半月板を保持する機能を付加することにより、変形性膝関節症の痛みを緩和できる膝装着用サポーターを得ることを目的とする。
【課題が解決するための手段】
【００１０】  本考案に係る膝装着用サポーターは、膝の上部に巻き付けて固定される上部固定部、膝の下部に巻き付けて固定される下部固定部、前記上部固定部及び下部固定部の中央部分の膝関節の裏を覆うカバー部からなり、かつ前記上部固定部、下部固定部及びカバー部は伸縮性を有し、前記カバー部の内側には弾力性のある素材からなるパット部が装着されていることを特徴とする。
【００１１】  前記膝装着用サポーターは、（１）上部固定部及び下部固定部がそれぞれ一対のベルト状部材からなり、各ベルト状部材は膝前面で連結されること、（２）カバー部は、膝関節部の裏を覆うこと、（３）パット部は、扁平な台形断面を有する立体であり、前記パッド部は、膝裏に密着して装着され膝裏を押し付けること、（４）上部固定部、下部固定部の裏面及びパッド部は、皮膚に密着する材質からなる。ここで、皮膚に密着する材質とは、皮膚に密接させたとき、前面部分の材質より皮膚との摩擦係数が大きく、すべり難い材質で、皮膚にかぶれ等の疾患を引き起こさない材質を意味する。具体的な態様としては、布地等が考えられる。
【考案の効果】
【００１２】  本考案に係る膝装着用サポーターは、上部固定部を大腿骨の下部に巻き付け、下部固定部を脛骨及び腓骨の上部に巻き付け、両固定部材とカバー部の張力とパッド部の弾力によりパッド部が膝裏の屈曲部を押し付けることで、パッド部が膝関節の間隙の後ろ側に挟まった半月板を膝前方へ押し、半月板のずれを防止することで、膝関節の間隙を保持する機能を発揮する。
【００１３】  また、前記両固定部材は、前記膝関節の間隙の保持機能の他、膝関節の周囲を圧迫、拘束して膝関節の動揺を抑え、膝関節周囲の筋力の低下を補助する機能も有している。
なお、本考案に係る膝装着サポーターは、前記膝関節の間隙の保持機能、膝関節の動揺の抑制、膝関節周囲の筋力の補助の機能を有することにより、変形性膝関節症以外にも適用可能である。具体的態様としては、スポーツや登山の時の膝関節の保護用具が考えられる。
【００１４】  パット部に磁器又はゲルマニュウムを内臓ざせることで膝関節周辺の血行を促進し、老廃物の蓄積を防止することもできる。
【図面の簡単な説明】
【００１５】
【図１】  本考案に係る膝装着用サポーターの平面図（表面）である。
【図２】  その下面図（裏面）である。
【図３】  その一部（パット部のみ）の平面図（ａ）、断面図（ｂ）及び断面図（ｃ）である。
【図４】  装着後の側面図である。
【考案を実施するための最良の形態】
【００１６】  以下、図１〜図４を参照して、本考案に係る膝装着用サポーターについて具体的に説明する。
この膝装着用サポーターは、膝関節の裏を覆うカバー部１と、その上部左右に取り付けられた一対のベルト状部材２ａ、２ｂからなる上部固定部２と、その下部左右に取り付けられた一対のベルト状部材３ａ、３ｂからなる下部固定部３と、カバー部の裏側に装着されたパット部４からなる。【００１７】  カバー部１、上部固定部２（２ａ、２ｂ）、下部固定部３（３ａ、３ｂ）はすべて伸縮性を有し、緊張時に素材の弾性による張力が発生するようになっている。
上部固定部２は、膝の上部に巻き付けて、膝の前面で固定されるもので、その裏面は皮膚に密着する素材からなり（図２参照）、一方のベルト状部材（２ａ）の端部の表面に、面ファスナー５が貼り付けらており、もう一方のベルと状部材（２ｂ）の端部の裏面に、面ファスナー６が貼り付けられている。【００１８】  下部固定部３は、膝の下部に巻き付けて、膝の前面で固定されるもので、上部固定部２と同様に、その裏面は皮膚に密着する素材からなり（図２参照）、一方のベルト状部材（３ａ）の端部の表面に、面ファスナー７が貼り付けらており、もう一方のベルと状部材（３ｂ）の端部の裏面に、面ファスナー８が貼り付けられている。【００１９】  カバー部裏側のパット部４は、弾力性のある素材（例えばポリウレタン樹脂発砲体）で、膝関節部の裏側を効果的に押すことができるように、扁平な台形断面をしており、パットの上下部は、膝の屈伸の妨げにならないように曲線加工されている（図３平面図（ａ）参照）。【００２０】  この膝装着用サポーターの装着は次のように行われる。
（１）図４に示すように、膝を軽い屈曲位の状態とし、カバー部１を膝関節の裏側に位置させ、パット部４を膝裏の屈曲部に密着させる。
（２）上部固定部２の左右両端を持ち、上方にひっぱり、膝の前面側で、面ファスナー５、６を貼り付ける。
（３）同様に、下部固定部３の左右両端を持ち、上方にひっぱり、膝の前面側で面ファスナー７、８を貼り付ける。【００２１】  具体的な作用としては、上部固定部２及び下部固定部３に張力が発生する状態で固定することで、カバー部にも張力が発生し、この張力は、カバー部裏側のパット部を、膝関節の裏側への押し付ける力を発生させる。この押し付け力は、膝関節の間隙の後ろ側に挟まった半月板を膝前方へ押し、歩行時に半月板の位置を拘束する効果を発揮する。その結果、膝関節の間隙は保持されて、変形性膝関節症の痛みの症状は緩和される。【００２２】  また、固定部材及びカバー部は、張力により膝関節周囲を拘束するので、膝関節の動揺を抑えることができる。さらに、上部固定部及び下部固定材の張力は、膝を屈伸させる際、膝を屈曲させる方向に作用するため、大腿四頭筋の補助作用がある。
なお、本考案に係る膝装着用サポーターは、左右の膝に装着することができる。
【符号の説明】
【００２３】    １  カバー部
２（２ａ、２ｂ）上部固定部
３（３ａ、３ｂ）下部固定部
４  パット部
５、６、７、８  面ファスナー
【図１】
0003156790.tif 000003
【図２】
0003156790.tif 000004
【図３】
0003156790.tif 000005
【図４】
0003156790.tif 000006